(57)【特許請求の範囲】
【請求項１】
垂直開口部を形成する間隔を空けられた垂直スラットを有する第１フレームと、
窪んだ水平溝を有し、前記第１フレームの周縁部の近くで前記第１フレームに固定される第２フレームと、
垂直開口部を形成する間隔を空けられた垂直スラットを有するシャッター部であって、第１位置と第２位置との間でシャッターが前記窪んだ水平溝内で選択的にスライド移動することを可能とするために該シャッター部の一部が前記窪んだ水平溝内にあるように前記第１フレームと前記第２フレームとの間に挟持されており、前記第１位置では前記第１フレームの前記垂直開口部が前記シャッター部の前記垂直開口部と整列して光がスペース可変シャッターを通過することを可能にし、前記第２位置では前記第１フレームの前記垂直開口部が前記シャッター部の前記垂直スラットと整列して光がスペース可変シャッターを通過することを阻止する、シャッター部と、
を備え、
前記第２フレームは、側部にあるラッチを備えており、該ラッチは、マルチパネル型スペース可変シャッターアレイを形成するために、スペース可変シャッターが少なくとも１つの他のスペース可変シャッターと結合することを可能とするように構成されている
ことを特徴とするスペース可変シャッター。 
【請求項２】
前記シャッター部は、使用者が前記シャッター部を前記第１位置と前記第２位置との間で移動させることを容易にさせるように構成された、垂直配置されたハンドルをさらに備えていることを特徴とする請求項１に記載のスペース可変シャッター。 
【請求項３】
前記第１フレームは、開口部内にＬＥＤを取り付けることが可能なように構成された複数のディスプレイ取付開口部をさらに備えていることを特徴とする請求項１または２に記載のスペース可変シャッター。 
【請求項４】
前記第１フレームは、光ディスプレイを駆動するための電子機器を取り付けることを容易にするように構成された水平部をさらに備えていることを特徴とする請求項１〜３のいずれか一項に記載のスペース可変シャッター。 
【請求項５】
前記シャッター部は、長円形状穴を含む水平補強部材をさらに備えており、前記長円形状穴は、前記スペース可変シャッター内で前記シャッター部を所定位置に保持し且つ前記スペース可変シャッター内で前記シャッター部が水平移動することを可能にするために、ねじを受けるように構成されていることを特徴とする請求項１〜４のいずれか一項に記載のスペース可変シャッター。 
【請求項６】
前記第１フレームは、光ディスプレイを駆動するための電子機器を取り付けることを容易にするよう構成された水平部をさらに備えていることを特徴とする請求項４に記載のスペース可変シャッター。 
【請求項７】
少なくとも２つのスペース可変シャッターを備えるマルチパネル型スペース可変シャッターアレイであって、
それぞれのスペース可変シャッターは、
垂直開口部を形成する間隔を空けられた垂直スラットを有する第１フレームと、
窪んだ水平溝を有し、前記第１フレームの周縁部の近くで前記第１フレームに固定され、スペース可変シャッターが少なくとも１つの他のスペース可変シャッターと結合することを可能とするように構成される側部にあるラッチを備えている第２フレームと、
垂直開口部を形成する間隔を空けられた垂直スラットを有するシャッター部であって、第１位置と第２位置との間でシャッターが前記窪んだ水平溝内で選択的にスライド移動することを可能とするために該シャッター部の一部が前記窪んだ水平溝内にあるように前記第１フレームと前記第２フレームとの間に挟持されており、前記第１位置では前記第１フレームの前記垂直開口部が前記シャッター部の前記垂直開口部と整列して光がスペース可変シャッターを通過することを可能にし、前記第２位置では前記第１フレームの前記垂直開口部が前記シャッター部の前記垂直スラットと整列して光がスペース可変シャッターを通過することを阻止する、シャッター部と、
を備え、
アレイにおけるそれぞれのスペース可変シャッターは、前記第１位置と前記第２位置との間で個々に調整可能であり、且つ前記側部にあるラッチを操作することによって少なくとも１つの他のスペース可変シャッターに固定されることを特徴とするマルチパネル型スペース可変シャッターアレイ。 
【請求項８】
それぞれのスペース可変シャッターのシャッター部は、使用者が前記シャッター部を前記第１位置と前記第２位置との間で移動させることを容易にするように構成された、垂直配置されたハンドルをさらに備えていることを特徴とする請求項７に記載のマルチパネル型スペース可変シャッターアレイ。 
【請求項９】
それぞれのスペース可変シャッターの前記第１フレームは、開口部内にＬＥＤを取り付けることを可能にするように構成された複数のディスプレイ取付開口部をさらに備えていることを特徴とする請求項７または８に記載のマルチパネル型スペース可変シャッターアレイ。 
【請求項１０】
それぞれのスペース可変シャッターの前記第１フレームは、光ディスプレイを駆動するための電子機器を取り付けることを容易にするように構成された水平部をさらに備えていることを特徴とする請求項７〜９のいずれか一項に記載のマルチパネル型スペース可変シャッターアレイ。 
【請求項１１】
それぞれのスペース可変シャッターの前記シャッター部は、長円形状穴を含む水平補強部材をさらに備えており、前記長円形状穴は、前記スペース可変シャッター内で前記シャッター部を所定位置に保持し且つ前記スペース可変シャッター内で前記シャッター部が水平移動することを可能にするために、ねじを受けるように構成されていることを特徴とする請求項７〜１０のいずれか一項に記載のマルチパネル型スペース可変シャッターアレイ。 
【請求項１２】
それぞれのスペース可変シャッターの前記第１フレームは、光ディスプレイを駆動するための電子機器を取り付けることを容易にするよう構成された水平部をさらに備えていることを特徴とする請求項１０に記載のマルチパネル型スペース可変シャッターアレイ。
【発明の詳細な説明】
【技術分野】
【０００１】
（関連出願に対する相互参照）
このＰＣＴ国際出願は、２０１０年７月８日付けで米国に出願された仮特許出願番号６１／３６２，５９３に優先権を主張するものであり、この仮特許出願は、参照することにより本明細書に組み込まれる。
【０００２】
本発明は、ＬＥＤディスプレイのためのスペース可変シャッターに関する。好ましい実施形態において、シャッターは、シャッターが光透過（開）状態から光遮断（閉）状態へ変化することを可能にする部分を含む。
【背景技術】
【０００３】
一般に、例えば公演などのステージ上において、ＬＥＤ光ディスプレイのための裏当て部材として、ＬＥＤディスプレイ用の後部メッシュが使用されている。通常、光を透過させるシースルースクリーン、または背景コントラストを提供する“べた”なスクリーンのどちらかが設けられる。
【発明の概要】
【発明が解決しようとする課題】
【０００４】
しかしながら、従来の装置では、特定の使用目的に対し、シースルー及びべたなパネルのどちらを用いるかを決めなければならない。
【課題を解決するための手段】
【０００５】
上記の問題に鑑みて、本発明の一側面に従うと、スペース可変シャッターは、垂直開口部を形成する間隔を空けられた垂直スラットを有する第１フレームと、窪んだ水平溝を有し、第１フレームの周縁部の近くで第１フレームに固定される第２フレームと、垂直開口部を形成する間隔を空けられた垂直スラットを有するシャッター部であって、第１位置と第２位置との間でシャッターが窪んだ水平溝内で選択的にスライド移動することを可能とするためにシャッター部の一部が窪んだ水平溝内にあるように第１フレームと第２フレームとの間に挟持されており、第１位置では第１フレームの垂直開口部がシャッター部の垂直開口部と整列して光がスペース可変シャッターを通過することを可能にし、第２位置では第１フレームの垂直開口部がシャッター部の垂直スラットと整列して光がスペース可変シャッターを通過することを阻止する、シャッター部と、を備えている。
【０００６】
本発明の別の側面では、シャッター部は、使用者がシャッター部を第１位置と第２位置との間で移動させることを容易にさせるように構成された、垂直配置されたハンドルをさらに備えている。
【０００７】
本発明の別の側面において、第１フレームは、開口部内にＬＥＤを取り付けることが可能なように構成された複数のディスプレイ取付開口部をさらに備えている。
【０００８】
本発明の別の側面では、第１フレームは、光ディスプレイを駆動するための電子機器を取り付けることを容易にするように構成された水平部をさらに備えている。
【０００９】
本発明の別の側面では、シャッター部は、長円形状穴を含む水平補強部材をさらに備えており、長円形状穴は、スペース可変シャッター内でシャッター部を所定位置に保持し且つスペース可変シャッター内でシャッター部が水平移動することを可能にするために、ねじを受けるように構成されている。
【００１０】
本発明の別の側面では、第１フレームは、光ディスプレイを駆動するための電子機器を取り付けることを容易にするように構成された水平部をさらに備えている。
【００１１】
本発明の別の側面では、第２フレームは、側部にあるラッチを備えており、ラッチは、マルチパネル型スペース可変シャッターアレイを形成するために、スペース可変シャッターが少なくとも１つの他のスペース可変シャッターと結合することを可能とするように構成されている。
【００１２】
本発明の第２の側面では、マルチパネル型スペース可変シャッターアレイは少なくとも２つのスペース可変シャッターを備え、それぞれのスペース可変シャッターは、垂直開口部を形成する間隔を空けられた垂直スラットを有する第１フレームと、窪んだ水平溝を有し、第１フレームの周縁部の近くで第１フレームに固定され、スペース可変シャッターが少なくとも１つの他のスペース可変シャッターと結合することを可能とするように構成される側部にあるラッチを備えている第２フレームと、垂直開口部を形成する間隔を空けられた垂直スラットを有するシャッター部であって、第１位置と第２位置との間でシャッターが窪んだ水平溝内で選択的にスライド移動することを可能とするためにシャッター部の一部が窪んだ水平溝内にあるように第１フレームと第２フレームとの間に挟持されており、第１位置では第１フレームの垂直開口部がシャッター部の垂直開口部と整列して光がスペース可変シャッターを通過することを可能にし、第２位置では第１フレームの垂直開口部がシャッター部の垂直スラットと整列して光がスペース可変シャッターを通過することを阻止する、シャッター部と、を備え、アレイにおけるそれぞれのスペース可変シャッターは、第１位置と第２位置との間で個々に調整可能であり、且つ側部にあるラッチを操作することによって少なくとも１つの他のスペース可変シャッターに固定される。
【００１３】
別の側面において、それぞれのスペース可変シャッターのシャッター部は、使用者がシャッター部を第１位置と第２位置との間で移動させることを容易にさせるように構成された、垂直配置されたハンドルをさらに備えている。
【００１４】
別の側面において、それぞれのスペース可変シャッターの第１フレームは、開口部内にＬＥＤを取り付けることを可能にするように構成された複数のディスプレイ取付開口部をさらに備えている。
【００１５】
別の側面では、それぞれのスペース可変シャッターの第１フレームは、光ディスプレイを駆動するための電子機器を取り付けることを容易にするように構成された水平部をさらに備えている。
【００１６】
別の側面において、それぞれのスペース可変シャッターのシャッター部は、長円形状穴を含む水平補強部材をさらに備えており、長円形状穴は、スペース可変シャッター内でシャッター部を所定位置に保持し且つスペース可変シャッター内でシャッター部が水平移動することを可能にするために、ねじを受けるように構成されている。
【００１７】
別の側面では、それぞれのスペース可変シャッターの第１フレームは、光ディスプレイを駆動するための電子機器を取り付けることを容易にするよう構成された水平部をさらに備えている。
【００１８】
図は、あくまで説明を目的とするものであり、必ずしも縮尺通りには描かれていない。しかしながら、本願発明は、添付の図面と併せて以下の詳細な説明を参照してよりよく理解される。
【図面の簡単な説明】
【００１９】
【図１】本発明の実施形態に従うスペース可変シャッターの分解図である。
【図２】本発明の実施形態に従うスペース可変シャッターの分解図である。
【図３】本発明の実施形態に従う背面ボックスが取り付けられたスペース可変シャッターの正面図及び背面図である。
【図４】本発明の実施形態に従う背面ボックスが取り付けられたスペース可変シャッターの正面図及び背面図である。
【図５】本発明の実施形態に従う背面ボックスが取り付けられたスペース可変シャッターの背面斜視図である。
【図６】本発明の実施形態に従う背面ボックスが取り付けられていないスペース可変シャッターの背面図である。
【図７】本発明の実施形態に従う２つのスペース可変シャッターにおける側部にあるラッチを示す図である。
【図８】本発明の実施形態に従うスペース可変シャッターの拡大図である。
【図９】複数のスペース可変シャッターを備えるアレイの正面図である。
【図１０】本発明に従うスペース可変シャッターの開位置を示すスペース可変シャッターの正面図である。
【図１１】本発明に従うスペース可変シャッターの閉位置を示すスペース可変シャッターの正面図である。
【図１２】本発明に従うスペース可変シャッターの開位置を示すスペース可変シャッターの正面図である。
【図１３】本発明に従うスペース可変シャッターの開位置を示すスペース可変シャッターの正面図である。
【図１４】本発明に従うスペース可変シャッターの閉位置を示すスペース可変シャッターの正面図である。
【発明を実施するための形態】
【００２０】
図１〜図８及び図１０〜図１４は、本発明に従うスペース可変シャッター１０の好ましい実施形態を示す。これらの図から分かるように、本発明に従うスペース可変シャッターは、第１フレーム１２と、第２フレーム１４と、第１フレームと第２フレームとの間に挟まれるシャッター部１６と、から形成されている。図１及び図２はそれぞれ、分解正面図及び分解背面図である。第１フレーム１２は、垂直開口部１３ｂを形成する垂直スラット１３ａと、ＬＥＤ３８のための複数の取付穴と、を含む。取付穴は、スペース可変シャッターを利用するディスプレイのために、ＬＥＤを取り付けるために設けられている。
【００２１】
ねじ１８、好ましくは頭部穴付き(socket-headed) ねじが、シャッター部１６を所定位置に保持し且つ水平長円形状の穴２２内で水平移動することも可能とするように設けられている。ねじ１８及び穴２２は、スペース可変シャッター１０が組み立てられた際、協働して、シャッターをフレーム１２及び１４間に保持するとともに横移動を可能とする。好ましい実施形態では、ねじは、シャッター部１６のスライドを可能とするのに十分にゆるく調整され、且つ必要であればシャッター部１６が所望の位置に到達したときに締めつけることができる。
【００２２】
図２において極めて明瞭に見ることができるように、窪んだ水平溝２０が、第２フレーム１４の内側縁部に沿って設けられている。この溝２０は、スペース可変シャッター１０が組み立てられた状態にあるときに、シャッター部１６が左右にスライドすることを可能にする。雄型結合部１１ａ及び対応する雌型結合部１１ｂが、スペース可変シャッター１０の縁部の近くに設けられ、これにより、フレーム１２及び１４を互いに整列させ且つ固定する。
【００２３】
シャッター１６は、互いに平行に配置される垂直開口部１５ｂを形成する複数の垂直スラット１５ａを有するように形成されている。また、シャッター１６は、垂直ハンドル２４を含む。これらハンドルは、以下でより詳細に説明されるように、使用者がシャッター１６を溝２０内において閉位置及びシースルー位置の間で動かすために操作することを可能にする。
【００２４】
水平補強部材２６が、第１フレーム１２に設けられており、これにより、第１フレームにおけるスラット状構造の垂直部分の変形を防いで構造的一体性の維持が図られている。また、好ましくは、シャッター部１６にも、部材２６と同じような機能を果たす水平補強部材２７が設けられている。
【００２５】
好ましくは、水平部２８が、第１フレーム１２に設けられている。この水平部２８は、例えばＬＥＤディスプレイを駆動し且つ例えば変圧器、ドライバ基板、ケーブル、コネクタなどに信号及び電力を供給するための電子部品を収容する背面ボックス３０を取り付けるためのものである。取付ねじ棒を含む水平部２８は、図６において明瞭に見ることができる。この図６は、背面ボックス３０が取り付けられていないスペース可変シャッター１０の背面図である。取付ねじ棒は、水平部２８を囲む防水Ｏリング４４上に設置されることができる。ＬＥＤディスプレイの駆動に使用される電子機器は本発明を構成するものではなく、従って本発明はこれに関して限定されない。
【００２６】
部分９０が複数、スペース可変シャッター１０の上隅部分に設けられており、これにより、シャッター１０が吊るされることによって取り付けられるか、そうでなければシャッター１０を固定することが可能である。バンパー３４が、スペース可変シャッター１０の下隅部分に設けられ、これにより、シャッター１０が独立のユニットとして立つことを支援する。また、これら部分９０及びバンパー３４は、シャッター１０を別のシャッター１０と垂直に配列して結合させるために用いることができる。
【００２７】
操作において、スペース可変シャッター１０は、第１フレーム１２の垂直開口部とシャッター部１６の垂直開口部との相対位置に応じて、該シャッター１０を通過する光が増減するように調節可能である。図１０〜図１４に示されるように、ハンドル２４を使用することによって、使用者はシャッター部１６を、第１フレーム及び第２フレームとの関係で、開位置すなわち光透過位置から閉位置すなわち光遮断位置へスライドさせることができる。さらに、シャッター部の位置は、異なる透光量を提供するように調整されることができる。
【００２８】
開形態では、図１０及び図１２に示されるように、シャッター部１６における垂直スラット１５ａは、第１フレーム１２における垂直スラット１３ａと整列し、これにより、スペース可変シャッター１０を通過する光が最大量となることを可能にする。閉位置では、図１１及び図１４に示されるように、シャッター部１６は、スペース可変シャッター１０内で水平方向に移動されており、これは、シャッター部１６における垂直スラット１５ａが第１フレーム１２の垂直開口部１３ｂと一列になるようになされる。この位置において、光は、スペース可変シャッター１０をほとんど通ることができず、且つスペース可変シャッター１０は、均一な一枚のスクリーンのように機能する。開位置及び閉位置間を移動できることにより、本発明のスペース可変シャッターはメッシュ型の製品及びベタなパネル型の製品として選択的に機能することを可能にする。
【００２９】
図１２〜図１４に示すように、閉位置から開位置へ移動させる好ましい方法は、シャッター部１６を左から右へスライドさせるために使用者が垂直ハンドルを操作することである。図１２において、シャッター部１６は、左に位置決めされている。ハンドルがシャッター部１６を右へ移動させるために使用されると、図１３に示されるように、透過する光の部分的遮断が生じる。図１３では、スラット１５ａが第１フレームの垂直開口部１３ｂを部分的に覆っている。シャッター部が右側に完全に移動されると、スペース可変シャッター１０は、完全に閉位置となる。
【００３０】
使用するときには、図８において見ることができるように、スペース可変シャッター１０には、それぞれの取付穴（開口部）３８にＬＥＤ４９が設けられている。電子機器は背面ボックス３０からＬＥＤを駆動して所望の表示を作り出す。スペース可変シャッターを開くかまたは閉じることができることが、使用者に対しＬＥＤディスプレイに異なる背景を提供できる。
【００３１】
それぞれのスペース可変シャッターはスペース可変シャッターと結合するように構成され、これにより、ともに結合される複数の個々のシャッターパネルを含むより大きなマルチパネル構造体を作り出す。これを支援するために、それぞれのスペース可変シャッターは、図７に示されるように、側部にあるラッチ３６及び３７を含む。これらラッチ３６及び３７は、複合パネルをともに整列させ且つ連結させることを補助するために使用される。また、このような側部にあるラッチ３６及び３７は、多数のスペース可変シャッターを水平に配列して結合することを可能にする。
【００３２】
図９は、本発明に従うマルチパネルアレイの一実施例を示している。このマルチパネルアレイは、２×３配列のパネルとして６つのスペース可変シャッターを含んでいる。この実施例において、スペース可変シャッターは、水平方向に結合され且つ垂直方向に結合されている。図において、図における左側の３つのパネルが閉位置にあるシャッターを有する一方で、図における右側の３つのパネルが開位置にあるシャッターを有する。理解されるように、従って、水平方向及び垂直方向においてともに連結されることが可能なパネルの数は、開示される実施例に限定されない。
【００３３】
本発明に従うスペース可変シャッターは、単独であろうとも、或いは他のスペース可変シャッターと直列にアレイ形態に結合されたものであろうとも、ステージ設計者に対し開位置におけるシースルー体験を、また閉位置では優れたコントラストを提供し、これによりディスプレイ、例えばＬＥＤ型ディスプレイに裏当て部材を設けるにあたり柔軟性及び設置の容易性を提供する。このような構成により、得られるシャッターまたはシャッターアレイは軽く、且つ薄くもでき、設置及び分解を容易にし、且つ所望のサイズに組み立てることを容易にする。これは、大きなマルチパネルアレイを形成するためにいくつかのスペース可変シャッター同士を互いに取り付けることができるからである。さらに、マルチパネルアレイ内で個々のスペース可変シャッターにおける個々の調整機能のために、何れの範囲をシースルーとし且つ何れの範囲をソリッド（すなわちシースルーでない）とするかという点に関し、設計者に極めて優れた柔軟性が提供される。
【００３４】
特定な実施形態が図示され且つ本明細書において説明されたが、さまざまな代替の且つ／または同等な実施が本発明の範囲から逸脱することなく示され且つ説明された特別な実施形態に対して置換されてもよいことが当業者に理解される。この出願は、本明細書において説明された特別な実施形態の任意の適応または変更を含めることを意図される。従って、この発明が特許請求の範囲及びその同等物によってのみ限定されることが意図される。
【符号の説明】
【００３５】
１０  スペース可変シャッター、１２  第１フレーム、１３ａ  スラット、１４  第２フレーム、１５ａ  垂直スラット、１５ｂ  垂直開口部、１６  シャッター部、２０  水平溝、２２  長円形状穴、２４  ハンドル、２７  水平補強部材、２８  水平部、３４  ラッチ、３８  ディスプレイ取付開口部
【図１】
0005613834.tif 000002
【図２】
0005613834.tif 000003
【図３】
0005613834.tif 000004
【図４】
0005613834.tif 000005
【図５】
0005613834.tif 000006
【図６】
0005613834.tif 000007
【図７】
0005613834.tif 000008
【図８】
0005613834.tif 000009
【図９】
0005613834.tif 000010
【図１０】
0005613834.tif 000011
【図１１】
0005613834.tif 000012
【図１２】
0005613834.tif 000013
【図１３】
0005613834.tif 000014
【図１４】
0005613834.tif 000015